(57)【要約】      （修正有）【課題】ウエブの巻取りにおいて、巻き取る寸前のタッチローラの抱角や接圧等の条件を変えることなく上巻，下巻を容易に切り替える。【解決手段】前工程から送られてくるウエブをガイドローラ２、タッチローラ１を介して一定長さ毎に巻取ロールＲに巻き取る巻取装置において、ガイドローラ２、タッチローラ１を駆動することなく連れ回りとすると共に、前記ガイドローラ２の上面を巻取ロールＲとタッチローラ１の中心を結ぶ線上に合わせて配置し、ウエブとタッチローラ１の接触角度θ1，θ2をθ1＝θ2とし、かつ巻取ロールＲの駆動を正逆回転可能とした。【選択図】図２
0003139751.tif 000002
【実用新案登録請求の範囲】
【請求項１】
前工程から送られてくるウエブをガイドローラ，タッチローラを介して一定長さ毎に巻取ロールに巻取る巻取装置において、ガイドローラ，タッチローラを駆動することなく連れ回りとすると共に、前記ガイドローラの上面を巻取ロールとタッチローラの中心を結ぶ線上に合わせて配置し、かつ巻取ロールの駆動を正逆回転可能となしたことを特徴とするウエブの正逆巻タッチローラ装置。
【考案の詳細な説明】
【技術分野】
【０００１】
本考案は前工程から送られるウエブを一定長さ毎に巻芯に巻き取るにあたり、原反ロールを反転することなくウエブの上面を上下巻き取る方向を切替可能としたタッチローラ装置に関するものである。
【背景技術】
【０００２】
従来、原反ロールからの巻き出しには上巻出しと下巻出しの２つの態様があり、下巻き出しの場合には裏側が上面として巻出され、上巻出しの場合には表側が上面として巻き出される。そして、このウエブの巻取方向は一方向に決められたロールの配置になっているため、何れか一方向の巻き取りしか行うことができないのが通常である。しかし、巻取方向が一方向に決められているとしても、原反ロールの上巻出しと下巻出しを切り換えるためには原反ロールを反転させることにより可能であるが、原反ロールの反転には装置費用がかかり問題が多い。
【０００３】
ところで、前工程でアルミ蒸着又はコロナ処理等、ウエブ表面に特殊加工を施した場合、次の工程で上巻出しか、又は下巻出しを決められることがあり、その用途によって巻き取り側で上巻，下巻を選択する必要がある。
【０００４】
上述の如く原反の巻き出し方向を上巻出しにするか、下巻出しにすることにより巻き取りは同方向であっても特殊加工面を変えて巻き取ることはできるが、巻き出し側で処理面を変えると巻き取りまでのガイドロール，エオスパンダーロール，スリットロール等が一定方向にあるため特殊処理面にスリキズ等が発生することがある。
【０００５】
そこで、このことから特殊加工を施した場合には、特殊な処理面に悪い影響がないように巻き取る寸前で上巻，下巻を切り替えることが望ましい。なお、原反ロールを反転することなく上巻取りと下巻取りの切り替えを可能ならしめるため切替え用ロールを巻取軸への案内ロール近傍に設けた巻取装置を本出願人はさきに提案（例えば特許文献１参照）しているが、切替ロールはスリッターにおいて切断，分離後の左右巻取装置への巻き取りであって、特殊な加工処理がなされたウエブの巻き取りには適しない。
【特許文献１】特開２００４−２１７３９８号公報
【考案の開示】
【考案が解決しようとする課題】
【０００６】
本考案は上述の如き実状に対処し、特に巻き取る寸前のタッチローラ及びガイドローラに着目し、ガイドローラよりタッチローラに送入されるウエブの方向とタッチローラが圧接する巻取ロールへの巻付方向を探求することにより該タッチローラの抱角，接圧等の条件を変えることなく、ウエブの通し方を考慮するだけで容易に上巻，下巻を切り替えることを可能ならしめる手段を提供することを目的とするものである。
【課題を解決するための手段】
【０００７】
即ち、上記目的に適合する本考案の特徴は、前工程から送られてくるウエブをガイドローラ，タッチローラを介して一定長さ毎に巻取ロールに巻取る巻取装置において、ガイドローラ，タッチローラを駆動することなく連れ回りとすると共に、前記ガイドローラの上面を巻取ロールとタッチローラの中心を結ぶ線上に合わせて配置し、かつ巻取ロールの駆動を正逆回転可能ならしめたウエブの正逆巻タッチローラ装置にある。
【考案の効果】
【０００８】
上記本考案装置によれば、ガイドローラ上面と、タッチローラ及び巻取ロールの中心を結ぶ線は常に同一線上に位置し、従ってウエブをタッチローラの上下何れの方向へ進入させてもウエブとタッチローラの接触角は変わらず、またタッチローラと巻取ロール接触圧，タッチローラと巻取ロールのエアかみ込み角度等も全て同じになり、巻取ロールの駆動を正逆回転させ、ウエブの通し方を変えるだけで容易に上巻，下巻を切り替えることができる。
【考案を実施するための最良の形態】
【０００９】
以下、更に添付図面に基づいて本考案装置の具体的形態を説明する。図１は本考案巻取装置の１例を示し、巻取軸に巻かれた巻取ロールＲの外周面のウエブ進入位置にタッチローラ１が下部に回動の中心Ｏをもち、接圧用エアシリンダ４により接圧調整可能にタッチローラアーム３の上部に設置されていると共に、該タッチローラ１の上流側に隣接してガイドローラ２が同じくタッチローラアーム３に設けられて固定ガイドローラ２′に続きガイドローラ２を経て進入するウエブＷをタッチローラ１を介してタッチローラ１が圧接する巻取ロールＲへ巻付ける構成からなっている。このとき、ガイドローラ２′とガイドローラ２の間におけるウエブＷの張力をＴ1とし、タッチローラ１が巻取ロールＲに圧接して引っ張られる下方へのウエブＷの張力をＴ2とすれば、Ｔ1，Ｔ2はタッチローラ１の支点Ｏに力Ｆとしてかかるが、この力方向は前記Ｔ1がガイドローラ２′と巻取ロールＲに垂直方向であればＦ＝Ｔ1＋Ｔ2であり、タッチローラ１の巻取ロールＲへの接圧方向の力は０となり、ウエブの張力を変えても接圧力は変わらない。
【００１０】
しかして、上記構成において本考案装置は特にその特徴としてガイドローラ２，タッチローラ１が駆動されることなく連れ回りによる自由回転となっていると共に、図２に示す如くガイドローラ２の上面とタッチローラ１の中心高さ、更に巻取ロールＲの中心高さとは全て同じ高さに配置されている。このガイドローラ２上面が巻取ロールＲとタッチローラ１の中心を結ぶ線上に位置することはガイドローラ２より進入し、タッチローラ１の外周に接触して巻取ロールＲに巻付けられるウエブＷのタッチローラ１に接触する角度が巻取ロールＲとタッチローラ１の中心を結ぶ線の上下において同じ角度θ1，θ2となり、従って巻取ロールＲの駆動を正逆何れの方向に変えても同じ接触角度をもってウエブが巻取ロールＲに巻付けられることを示している。
【００１１】
同時に上記の如くタッチローラ１に同じ接触角度をもって接触することは巻取ロールＲの駆動が正逆何れになってもタッチローラ１と巻取ロールＲとの接触圧にも変動を来たさないと共に、タッチローラ１に抱き込まれているウエブＷとタッチローラ１表面との間のエアかみ込み角度θ3，θ4も同じ角度になり、従って、巻取ロールの駆動を正逆変えるだけでウエブとタッチローラとの接触角度、タッチローラと巻取ロールとの接触圧、タッチローラと巻取ロールのエアかみ込み角度を特に変えることなく同じ条件下で巻取ロールへの巻付けを上巻き、下巻きと容易に切替えることができる。
【００１２】
図３は前記各例がガイドローラ２とタッチローラ１が共にタッチローラアーム３に接圧用シリンダ４により設置されているのに対し、タッチローラ１のみがタッチローラアーム３に接圧用シリンダ４により接圧調整可能に設置されていて、ガイドローラ２，２′が位置固定され、一方向の駆動も可能な場合であり、この場合も前記同様にガイドローラ２の上面がタッチローラ１と巻取ロールＲの中心を結ぶ線上に配置されることにより、同じ条件をもって上巻，下巻の切替えが容易となり、同様な作用、効果を有している。
【図面の簡単な説明】
【００１３】
【図１】本考案に係る巻取装置の要部を示す概要図である。
【図２】本考案に係る巻取装置の作用態様を示す概要図である。
【図３】タッチローラのみをタッチローラアームに設置した本考案巻取装置を示す概要図である。
【符号の説明】
【００１４】
１：タッチローラ
２：ガイドローラ
３：タッチローラアーム
４：接圧用エアシリンダ
Ｒ：巻取ロール
Ｗ：ウエブ
【図１】
0003139751.tif 000003
【図２】
0003139751.tif 000004
【図３】
0003139751.tif 000005